(57)【特許請求の範囲】
【請求項１】
頂壁４を貫設させてノズル付き押下げヘッド６を上方付勢状態で起立させ、かつ該押下げヘッドの押下げ操作でノズルから噴霧可能に設けたエアゾール缶の上端部外面へ係合手段を介して着脱自在に嵌合可能なキャップにおいて、
キャップ本体の周壁１１に、一部を残して破断線を周設して、該破断線よりも上方のキャップ本体部分を押下げ板１７に形成すると共に、キャップ本体の天板１３から係合板１８を垂設して、これら押下げ板と係合板とでヘッド押下げ部を形成させ、
かつ上記破断線を破断させての上記押下げ板１７の押し下げで、上記係合板１８下端部が上記押下げヘッド外周のエアゾール缶頂壁部分へ係合手段を介して嵌合して、上記押下げ板１７をヘッド押下げ位置へ保持可能に設けると共に、上記ヘッド押下げ部にガス抜き口１９を設けたことを特徴とするエアゾール缶のキャップ。
【請求項２】
上記キャップ本体の周壁１１に、一部を残して端部で連続する周方向への２本の破断線１４、１５を形成して、これら両破断線で囲む壁部分を除去帯１６に形成して、該除去帯よりも上方のキャップ本体部分を上記押下げ板１７に形成し、さらに除去帯の一端部から摘み板２１を外方へ突設したことを特徴とする請求項１記載のエアゾール缶のキャップ。
【請求項３】
エアゾール缶の頂壁中央部を隆起させて隆起部５に形成し、かつ該隆起部の上端部に、上記係合板１８の先端部が嵌合可能な係合溝７を周設したことを特徴とする請求項１又は２記載のエアゾール缶のキャップ。
【発明の詳細な説明】
【０００１】
【発明の属する技術分野】
本発明は、エアゾール缶へ装着させるキャップに関する。
【０００２】
【従来の技術】
ガス抜きを行わないでエアゾール缶を廃棄すると爆発するおそれがあるため、通常、廃棄に際してはエアゾール缶に孔をあけてガス抜きを行っている。
【０００３】
【発明が解決しようとする課題】
しかし、このような穿孔用の工具がない場合には、ガスが抜けるまでノズル付き押下げヘッドを押し下げておくほかなかったが、これはきわめて面倒でありガス抜きが不完全な状態で廃棄されるおそれがあった。
【０００４】
請求項１に係る発明は、何らの工具をも必要とすることなくガス抜きを行うことができ、かつ押下げ板をヘッド押下げ位置へ強固に保持させることが可能なエアゾール缶のキャップを提供することを目的とする。
【０００５】
請求項２に係る発明は、押下げ板の押下げが容易に行えるエアゾール缶のキャップを提供することを目的とする。
【０００６】
請求項３に係る発明は、構成の簡素化が図れるエアゾール缶のキャップを提供することを目的とする。
【０００７】
【課題を解決するための手段】
第１の手段として、頂壁４を貫設させてノズル付き押下げヘッド６を上方付勢状態で起立させ、かつ該押下げヘッドの押下げ操作でノズルから噴霧可能に設けたエアゾール缶の上端部外面へ係合手段を介して着脱自在に嵌合可能なキャップにおいて、
キャップ本体の周壁１１に、一部を残して破断線を周設して、該破断線よりも上方のキャップ本体部分を押下げ板１７に形成すると共に、キャップ本体の天板１３から係合板１８を垂設して、これら押下げ板と係合板とでヘッド押下げ部を形成させ、
かつ上記破断線を破断させての上記押下げ板１７の押し下げで、上記係合板１８下端部が上記押下げヘッド外周のエアゾール缶頂壁部分へ係合手段を介して嵌合して、上記押下げ板１７をヘッド押下げ位置へ保持可能に設けると共に、上記ヘッド押下げ部にガス抜き口１９を設けた。
【０００８】
第２の手段として、上記キャップ本体の周壁１１に、一部を残して端部で連続する周方向への２本の破断線１４、１５を形成して、これら両破断線で囲む壁部分を除去帯１６に形成して、該除去帯よりも上方のキャップ本体部分を上記押下げ板１７に形成し、さらに除去帯の一端部から摘み板２１を外方へ突設した。
【０００９】
第３の手段として、エアゾール缶の頂壁中央部を隆起させて隆起部５に形成し、かつ該隆起部の上端部に、上記係合板１８の先端部が嵌合可能な係合溝７を周設した。
【００１０】
【発明の実施の形態】
１はエアゾール缶で、胴部２の上端部外面に第１係合溝３を周設すると共に、胴部の上面を閉塞する頂壁４の中央部を隆起させ、かつ該隆起部５の頂部を貫設させてノズル付き押下げヘッド６を上方付勢状態で起立させる。さらに、隆起部５の上端部外面に第２係合溝７を周設する。なお、上記では頂壁４を隆起させているが、これに限らず頂壁４の中央部を除く周辺部を凹設してもよい。この場合にはノズル付き押下げヘッド６は頂壁４の中央部を貫設させる。
【００１１】
１０はキャップで、周壁１１の下端部内面に周設した第１突条１２を第１係合溝３へ着脱自在に嵌合させると共に、周壁１１上面を閉塞する天板１３の外周部に、周壁１１と同心円弧状のC字状の内外２本の破断線１４、１５を端部を連続させて形成して、両破断線間の天板部分を除去帯１６に形成し、かつ該除去帯で囲む天板部分を押下げ板１７に形成する。
【００１２】
そして、この押下げ板１７から係合板１８、好ましくは垂下筒からなる係合板を垂設して、該係合板に窓部からなるガス抜き口１９を形成すると共に、下端部内面に第２突条２０を形成する。
【００１３】
この係合板１８は第２突条２０が第２係合溝７の上縁に位置するように除去帯１６の内周から垂設させ、後述するように、押下げ板１７を押し下げた時に、第２突条２０が第２係合溝７へ係合する高さとする。
また、図３にも示すように、除去帯１６の一端部を凹設して形成した凹部から摘み板２１を起立させる。
【００１４】
次に作用について説明する。
使用するには、エアゾール缶からキャップ１０を外して、ノズル付き押下げヘッド6を押し下げればよい。
廃棄時に残量ガスを抜くには、摘み板21を除去帯１６沿いに引っ張ればよく、すると２本の破断線14、15が破断して除去帯16が天板13から除去される。除去帯16の除去で形成された開口部はガス流出口の役割を果たす。
【００１５】
この後、キャップ10をエアゾール缶へ装着させて、押下げ板１７を押し下げると、ノズル付き押下げヘッド6が押し下げられると共に、第２突条２０が第２係合溝７へ係合して、押下げ板１７を押下げ位置に保持させる。ノズルから噴霧されたガスはガス抜き口19を通って、除去板16の除去による開口部から流出する。なお、上記ではエアゾール缶からキャップ10を外して除去帯１６を除去した後、再度エアゾール缶へ装着させているが、キャップ10をエアゾール缶へ装着させた状態で除去帯16を除去させることも可能である。
【００１６】
図５は他の実施形態を示す。上記では除去帯１６を天板１３に形成したが、これに限らず同図に示すように周壁１１に形成することも可能である。この場合には、上下２本の平行な破断線１４、１５を周壁１１に周設するが、全周にわたってではなく円弧状に形成して端部を連続させ、上下両破断線間の周壁部分を除去帯１６に、かつ除去帯よりも上方部分を押下げ板１７に形成する。
【００１７】
さらに、除去帯１６の一端を凹設して、該凹部から摘み板２１を突設させる。なお、ガス抜き口１９を有する係合板１８を天板１３から垂設させる点は第１の実施形態と同様である。
ガス抜きを行うには上記同様に、除去帯１６を除去して、該除去帯よりも上方部分を押し下げればよい。なお、この押下げにより係合板１８下端が第２係合溝７へ係合するまでのストロークよりも除去帯１６の幅は大でなければならない。
【００１８】
【発明の効果】
請求項１に係る発明は、キャップにガス抜き機能をもたせたので、自動的にガス抜きを行うことができ、ガス抜きに際して何らの工具をも必要としないため、ガス抜きが不完全な状態で廃棄されるといった事態を未然に防止することができる。また、係合板をエアゾール缶の頂壁へ係合させるため、押下げ板をヘッド押下げ位置へ強固に保持させることができる。
【００１９】
請求項２に係る発明は、除去帯よりも上方のキャップ本体部分を押下げ板に形成したので、除去帯の除去と押下げ板の押下げという２度の操作を要するとはいえ押下げが容易に行える。
【００２０】
請求項３に係る発明は、エアゾール缶の頂壁中央部に形成した既存の隆起部を利用して係合板を係合させるため、構成の簡素化を図ることができる。
【図面の簡単な説明】
【図１】本発明に係るエアゾール缶のキャップの一部縦断面図。
【図２】同じく、キャップの斜視図。
【図３】同じく、図２のII−II線に沿う略示断面図。
【図４】同じく、押下げ板を押し下げた状態を示す作用説明図。
【００００】
【図５】第２の実施形態を示す縦断面図。
【符号の説明】
１  エアゾール缶                        ２  胴部
３  第１係合溝                          ４  頂壁
６  ノズル付き押下げヘッド              ７  第２係合溝
１０  キャップ                          １１  周壁
１３  天板                              １４、１５  破断線
１６  除去帯                            １７  押下げ板
１８  係合板                            １９  ガス抜き口
２１  摘み板
【図１】
0004180257.tif 000002
【図２】
0004180257.tif 000003
【図３】
0004180257.tif 000004
【図４】
0004180257.tif 000005
【図５】
0004180257.tif 000006